(57)【要約】      （修正有）【課題】耐用年数が長く、構成が簡単で、制限効果が高く、三輪自転車の使用安定性、安全性が確保される三輪自転車のリアビーム制限支持装置を提供する。【解決手段】横ビーム１７にハウジング９が設置され、ハウジング内に弾性制限機構が設置され、メインビームの後端２３に設置された回転軸２０がハウジング内に伸び込んで弾性制限機構に接続され、弾性制限機構は回転軸の回転角度を制限する。各構造は互いに協力して作動して、制限機構とロック機構を一体化させるとともに、運動を必要とする部材をハウジングに密閉させ、ハウジングを確実にシールし、グリースなどの潤滑油を充填すると、長期間にわたり安定的に稼動できる。【選択図】図１
0003220388.tif 000002
【実用新案登録請求の範囲】
【請求項１】
メインビームの後端とリアフレームの横ビームとを備える三輪自転車のリアビーム制限支持装置であって、
前記横ビームにハウジングが設置され、該ハウジング内に弾性制限機構が設置され、前記メインビームの後端に設置された回転軸がハウジング内に伸び込んで弾性制限機構に接続され、該弾性制限機構は前記回転軸の回転角度を制限することを特徴とする三輪自転車のリアビーム制限支持装置。
【請求項２】
前記弾性制限機構は、スチールシートと制限ブロックを含み、前記スチールシートはハウジング内の上端又は下端のうちのいずれか１箇所又は２箇所に設置され、前記制限ブロックは前記回転軸のハウジング内に位置する外縁に套設され、回転軸とともにその軸線周りに回転するときに、前記スチールシートを押し当てて変形させ、変形したスチールシートは前記制限ブロックを押し当てる前の位置へ回復させることを特徴とする請求項１に記載の三輪自転車のリアビーム制限支持装置。
【請求項３】
前記弾性制限機構は、スチールシートと制限ブロックを含み、前記スチールシートはハウジング内の左側又は後側のうちのいずれか１箇所又は２箇所に設置され、前記制限ブロックは前記回転軸のハウジング内に位置する外縁に套設され、回転軸とともにその軸線周りに回転するときに、前記スチールシートを押し当てて変形させ、変形したスチールシートは前記制限ブロックを押し当てる前の位置へ回復させることを特徴とする請求項１に記載の三輪自転車のリアビーム制限支持装置。
【請求項４】
制限ブロックのスチールシートに近い表面と制限ブロックの両側端面との接続部が、いずれも円弧状遷移部として形成されることを特徴とする請求項２に記載の三輪自転車のリアビーム制限支持装置。
【請求項５】
制限ブロックのスチールシートに近い表面と制限ブロックの上端面及び底面との接続部が、いずれも円弧状遷移部として形成されることを特徴とする請求項３に記載の三輪自転車のリアビーム制限支持装置。
【請求項６】
前記ハウジングに少なくとも１つの当接棒が設置され、ボルトは、ハウジング内に伸び込んで、スチールシートの変形の大きさ又は制限ブロックの回転角度を制限することを特徴とする請求項１乃至５のいずれか一項に記載の三輪自転車のリアビーム制限支持装置。
【請求項７】
メインビームの後端に前板が設置され、ハウジングに後板が設置され、前板に、後板の端部に向けて後板の対応位置に設置されたスライド溝に挿入される制限ボスが取り付けられ、制限ボスのスライド溝内の制限摺動により、メインビームの後端が回転するときにメインビームの後端の回転角度が制限されることを特徴とする請求項１乃至５のいずれか一項に記載の三輪自転車のリアビーム制限支持装置。
【請求項８】
メインビームの後端に前板が設置され、ハウジングに後板が設置され、後板に、前板の端部に向けて前板の対応位置に設置されたスライド溝に挿入される制限ボスが取り付けられ、制限ボスのスライド溝内の制限摺動により、メインビームの後端が回転するときにメインビームの後端の回転角度が制限されることを特徴とする請求項１乃至５のいずれか一項に記載の三輪自転車のリアビーム制限支持装置。
【請求項９】
前記前板の先端面の上端に前向きのケーシングが設置され、ケーシング内で制限摺動可能な固定レバーがケーシング内に設置され、該固定レバーは、ケーシングを伸び出した先端がケーブル又はワイヤーを介してスパナスイッチに接続され、後端が前記後板の対応位置に設置された孔に挿入され、前記ケーブル又はワイヤーは、スパナスイッチが両端へ移動されたときに、固定レバーの後端を前記孔に挿入又は脱出させ、固定レバーの後端が孔に挿入されると、メインビームの後端と横ビームを相対静止に保持し、固定レバーの後端が孔から脱出したとき、メインビームの後端と横ビームを相対回転させることを特徴とする請求項７又は８に記載の三輪自転車のリアビーム制限支持装置。
【考案の詳細な説明】
【技術分野】
【０００１】
本考案は、三輪自転車のリアビーム制限支持装置の改良の技術分野に属し、制限構造に関し、特に三輪自転車のリアビーム制限支持装置に関する。
【背景技術】
【０００２】
三輪自転車は、一般的に使用されている物品又は人をキャリーするための代歩工具であり、その構造が、前輪、メインビーム、リアフレーム及び後輪を備え、メインビームの後端がリアフレームに接続され、メインビームの先端がフロントフォークを介して前輪に接続され、リアフレームの両側にそれぞれ１つの後輪が取り付けられる。上記構造は従来の三輪自転車構造であり、しかし、使用したところ、三輪自転車がカーブするときに速度が速すぎたり角度が大きすぎたりする場合、三輪自転車は全体としてカーブ方向へ転倒してしまい、リアフレームにある物品が落ちたり、酷い場合は、運転者や乗客を傷つけたりすることがある。
【０００３】
このような問題を解決するため、生産者は研究を重ねた結果、弾性制限機構を備える接続方式を開発しており、具体的に、メインビームの後端とリアフレームの横ビームがヒンジ接続され、メインビームの両側及び横ビームの両側にバネである制限機構が設置され、すなわち、一方のバネによりメインビームの後端の一側と同側にある横ビームが牽引され、他方のバネによりメインビームの後端の他側と同側にある横ビームが牽引されるように構成されており、使用するとき、メインビームの後端が前輪の方向偏向に伴い一側へ回転するものの、リアフレーム全体がメインビームの後端にヒンジ連結されるため、リアフレームが全体として傾斜することがなく、カーブ中及びカーブ終了後、一方の圧縮されたバネは外へ弾かれる傾向にあり、他方の引っ張られるバネは内へ引き込む傾向にあり、このように、２つのバネの作用下で、メインビームの後端は正常な位置に迅速に戻り、それによって、安定的なカーブと高速回復が実現され、同時に、一部の生産者は、メインビームの後端と横ビームの間に、機構のメインビームの後端と横ビームをロックして、両方の回転を防止するための、たとえばネジジャッキ、バックルなどのロック機構が設置され、このようにして、三輪自転車は従来の三輪自転車になることができる。
【０００４】
上記制限機構を備える三輪自転車は以下の問題を抱えている。１．バネは変形素子であり、経時的に老化して弾性を失うため、三輪自転車がカーブするときの安定性に影響を与える。２．バネ、ロック機構はいずれも環境に晒されるため、雨、雪、風や霜の天気の場合、汚染したり腐食したりしやすく、自体性能の低下を引き起こすとともに、三輪自転車の使用安全性に不利である。
【考案の概要】
【考案が解決しようとする課題】
【０００５】
本考案の目的は、従来技術の欠点を克服して、制限、ロック機能を一体化させることで、環境の汚染を避けるとともに、制限効果が高い三輪自転車のリアビーム制限支持装置を提供することである。
【課題を解決するための手段】
【０００６】
本考案は下記技術案を用いる。
【０００７】
メインビームの後端とリアフレームの横ビームとを備える三輪自転車のリアビーム制限支持装置であって、前記横ビームにハウジングが設置され、該ハウジング内に弾性制限機構が設置され、前記メインビームの後端に設置された回転軸がハウジング内に伸び込んで弾性制限機構に接続され、該弾性制限機構は前記回転軸の回転角度を制限する。
【０００８】
さらに、前記弾性制限機構は、スチールシートと制限ブロックを含み、前記スチールシートはハウジング内の上端又は下端のうちのいずれか１箇所又は２箇所に設置され、前記制限ブロックは前記回転軸のハウジング内に位置する外縁に套設され、回転軸とともにその軸線周りに回転するときにスチールシートを押し当てて変形させ、変形したスチールシートは前記制限ブロックを押し当てる前の位置へ回復させる。
【０００９】
さらに、前記弾性制限機構は、スチールシートと制限ブロックを含み、前記スチールシートはハウジング内の左側又は後側のうちのいずれか１箇所又は２箇所に設置され、前記制限ブロックは前記回転軸のハウジング内に位置する外縁に套設され、回転軸とともにその軸線周りに回転するときに、前記スチールシートを押し当てて変形させ、変形したスチールシートは前記制限ブロックを押し当てる前の位置へ回復させる。
【００１０】
さらに、制限ブロックのスチールシートに近い表面と制限ブロックの両側端面の接続部が、いずれも円弧状遷移部として形成される。
【００１１】
さらに、制限ブロックのスチールシートに近い表面と制限ブロックの上端面及び底面の接続部が、いずれも円弧状遷移部として形成される。
【００１２】
さらに、前記ハウジングに少なくとも１つの当接棒が設置され、該ボルトは、ハウジング内に伸び込んで、スチールシートの変形の大きさ又は制限ブロックの回転角度を制限する。
【００１３】
さらに、メインビームの後端に前板が設置され、ハウジングに後板が設置され、前板に、後板の端部に向けて後板の対応位置に設置されたスライド溝に挿入される制限ボスが取り付けられ、制限ボスのスライド溝内の制限摺動により、メインビームの後端が回転するときにメインビームの後端の回転角度が制限される。
【００１４】
さらに、メインビームの後端に前板が設置され、ハウジングに後板が設置され、後板に、前板の端部に向けて前板の対応位置に設置されたスライド溝に挿入される制限ボスが取り付けられ、制限ボスのスライド溝内の制限摺動により、メインビームの後端が回転するときにメインビームの後端の回転角度が制限される。
【００１５】
さらに、前記前板の先端面の上端に前向きのケーシングが設置され、ケーシング内で制限摺動可能な固定レバーがケーシング内に設置され、該固定レバーは、ケーシングを伸び出した先端がケーブル又はワイヤーを介してスパナスイッチに接続され、後端が前記後板の対応位置に設置された孔に挿入され、前記ケーブル又はワイヤーは、スパナスイッチが両端へ移動されたときに、固定レバーの後端を前記孔に挿入又は脱出させ、固定レバーの後端が孔に挿入されると、メインビームの後端と横ビームを相対静止に保持し、固定レバーの後端が孔から脱出したとき、メインビームの後端と横ビームを相対回転させる。
【考案の効果】
【００１６】
本考案の利点及び有益な効果は以下のとおりである。
本考案では、ハウジング内の上端と下端にそれぞれ１つのスチールシートが設置され、２つのスチールシートの間に、キー溝とキーブロックとの嵌合によりメインビームの後端の回転軸に伴って運動する制限ブロックが設置され、制限ブロックは回転軸に伴って回転するときに、スチールシートを押し当てて変形させ、スチールシート自体は平坦状態へ戻る傾向があり、且つスチールシート又は制限ブロックは当接棒により制限されて最大変形量を調整でき、さらに、制限ボスによってメインビームの後端の限界回転角度を調整でき、また、固定レバーでメインビームの後端と横ビームを相対静止に保持することができ、上記各構造が互いに協力して作動することによって、制限機構とロック機構は一体化されて、且つ運動を必要とする部材がハウジング内に密閉され、ハウジングを確実にシールし、グリースなどの潤滑油が充填されると、長期間にわたり安定的に稼動することができ、耐用年数が長く、構成が簡単で、制限効果が高く、三輪自転車の使用安定性、安全性が確保される。
【図面の簡単な説明】
【００１７】
【図１】本考案の構造模式図である。
【図２】図１のＡ−Ａ矢視断面図である。
【図３】図１のＢ−Ｂ矢視断面図である。
【図４】図１のＣ−Ｃ矢視図である。
【図５】図１の制限ボスでの平面図である。
【図６】図４から端部カバーを取り外したときの模式図である。
【図７】図６の制限ブロックが回転軸に伴って回転するときの模式図である。
【図８】スチールシートが両側に設置された場合の模式図である。
【考案を実施するための形態】
【００１８】
以下、実施例にて、本考案を説明するが、下記実施例は例示的なものであり、限定的ではなく、下記実施例により本考案の保護範囲が制限されない。
【００１９】
三輪自転車のリアビーム制限支持装置は、図１〜８に示されるように、メインビームの後端２３とリアフレームの横ビーム１７を備え、本考案の革新点は以下のとおりである。横ビームにハウジング９が設置され、該ハウジング内に弾性制限機構が設置され、メインビームの後端に設置された回転軸２０がハウジング内に伸び込んで、弾性制限機構に接続され、該弾性制限機構は回転軸の回転角度を制限する。
【００２０】
本実施例において、ハウジングの両側に設置された接続板１６は固定ボルト１５で横ビームの上端面に固定され、勿論、横ビームの底面に装着してもよい。
【００２１】
メインビームの後端には、回転軸２０がピンなどで同軸に固定され、また、回転軸を直接加工しても構わない。まず、該回転軸はハウジングの先端カバー７に一体設置されたスリーブ１８を貫通し、次に、末端がハウジング、ハウジング後端カバー１０、後端カバーに一体設置された外側ケーシング１２を貫通し、末端１４に制限ナット１３が噛み合うように套設され、スリーブでの接続を保護するために、回転軸の外縁の外側にあるスリーブの端部にシールリング１９が噛み合うようにカバーされ、該シールリングと回転軸の外縁との間に小さな隙間が存在し、シールリング、スリーブ、先端カバー、ハウジング、後端カバー、外側ケーシング及びロックナットはともに一定の密封度を有するキャビティを構成し、キャビティ内にグリースなどの潤滑油が充填されている。
【００２２】
弾性制限機構は、２種の設置形態を取りえ、以下、図面を参照しながら、それぞれ説明する。
１．弾性制限機構は、図６、７に示される構造のとおり、スチールシート３３、３９と制限ブロック３５を含み、スチールシートが独立してハウジング内の上端又は下端に設置されてもよく、上端と下端に同時に設置されてもよく、次に、上端と下端に同時に設置された場合を例にして説明し、ハウジング内の四隅にそれぞれ押し当てボス３２が設置され、該押し当てボスの端面にネジ孔が加工されてもよく、該ネジ孔はハウジング先端カバー７、後端カバー１０を取り付けるときに使用されるボルト１１と噛み合うように接続され、上端にある２つの押し当てボスと下端にある２つの押し当てボスの間に、上から下へスチールシート３３、制限ブロック及びスチールシート３９が順次設置され、制限ブロックは、内部にキー溝３７が設置され、且つ回転軸末端１４の外縁で製造されたキーブロック３８により回転軸に伴って運動する。
【００２３】
ハウジング内の上端又は下端にスチールシートが設置された場合、制限ブロックのスチールシートに向く上端面又は底面と制限ブロックの両側端面との接続部が、いずれも円弧状遷移部３６として形成され、２つの円弧状遷移部の間にデプレッション３４が形成され、該デプレッションにより、円弧状遷移部の加工が容易になるとともに、制限ブロックの重量を低減させる。
【００２４】
図６に示されるように、正常に作動する場合、スチールシートは平坦状態に保持され、制限ブロックは両方の間に位置し、三輪自転車がカーブする場合、図７に示される状態のように、メインビームの後端の回転軸は制限ブロックを連動して回転させ、三輪自転車が左折すると、制限ブロックは反時計回りに回転し、上端面の右側と底面の左側にある２つの円弧状遷移部はそれぞれ上端と下端にある２つのスチールシートを押し当てて変形させ、スチールシートが平坦状態へ回復する傾向があることから、三輪自転車のカーブが終了すると、メインビームの後端は徐々に元の位置に戻り、制限ブロックは、スチールシートの作用下で、押し当てる前の位置へ回復して、次第に図６に示される状態になる。
【００２５】
２．弾性制限機構は、図８に示される構造を有し、第１項に比べて、スチールシートはハウジング内の左側又は後側のうちのいずれか１箇所又は２箇所に設置され、制限ブロックのスチールシートに近い表面と制限ブロックの上端面及び底面の接続部が、いずれも円弧状遷移部として形成される点で、異なる。それ以外、制限ブロックの運動、スチールシートの押し当てによる変形及び回復などの過程はすべて第１項と同様である。
【００２６】
スチールシートの変形量又は制限ブロックの回転角度の調整し易さから、ハウジングに少なくとも１つの当接棒８が噛み合うように設置されてもよく、図２〜８に示されるように、当接棒は、ハウジングの上端に設置され、その数が２つであり、外縁に雄ネジが加工されるとともに、ハウジングの上端面内と噛み合い、当接棒の外縁にロックナットがさらに套設され、図７に示されるように、当接棒が特定位置と噛み合うとき、ロックナットもハウジングの上端面に締め付けられ、このとき、上端にあるスチールシートは、上へ変形するときに、当接棒の下端面に当接され、それによって、スチールシートの変形量が調整される。
【００２７】
勿論、当接棒は、ハウジングの上端に取り付ける以外、下端にあるスチールシートの変形量を調整するためにハウジングの底面に取り付けてもよく、又は、両方ともに設置されてもよい。さらに、ハウジングの２つの側面に設置され、ハウジングに伸び込んだ端部で制限ブロックの両側端面を当接させることによって、制限ブロックの回転角度が調整されることも可能である。
【００２８】
当接棒で回転角度を調整する以外、安全性を向上させるために、メインビームの後端の回転限界位置が設置され、具体的に、図１、２、３、５に示されるように、メインビームの後端に前板２１が設置され、ハウジングの先端にあるスリーブの外縁に後板５が設置され、後板に、前板の端部に向けて前板の対向位置に設置されたスライド溝２５に挿入される制限ボス２２が取り付けられるように構成し、スライド溝の大きさが一定であるため、制限ボスがスライド溝内に摺動するときに、スライド溝の両側端部の内縁により制限されて、このように、制限ボスのスライド溝での制限摺動により、メインビームの後端の回転時の両側の限界回転角度が制限される。
【００２９】
上記制限ボスの構造以外、下記構造を取りうる。前板に、後板の端部に向けて後板の対応位置に設置されたスライド溝に挿入される制限ボスが取り付けられ、制限ボスのスライド溝内の制限摺動により、メインビームの後端が回転するときにメインビームの後端の回転角度が制限される。
【００３０】
乗るときに、メインビームの後端と横ビームの間の相対回転を必要としない場合、上記構造に固定構造を増設することができ、具体的に、図１、２、３、５に示されるように、前板の先端面の上端に前向きのケーシング３が設置され、ケーシング内で制限摺動可能な固定レバー１がケーシング内に設置され、該固定レバーは、ケーシングを伸び出した先端がケーブル２４又はワイヤーを介してスパナスイッチに接続され、後端６が後板の対応位置に設置された孔２６に挿入され、ケーブル又はワイヤーは、スパナスイッチが両端へ移動するとき、固定レバーの後端を孔に挿入又は脱出させ、固定レバーの後端が孔に挿入されると、メインビームの後端と横ビームを相対静止に保持し、固定レバーの後端が孔から脱出したとき、メインビームの後端と横ビームを相対回転させるように構成される。
【００３１】
上記制限摺動構造は、図５に示されるとおりである。ケーシングの後端が前板の対応位置に設置されたネジ孔３０に噛み合うように嵌設され、該ネジ孔の後端に、内径が僅かに小さい後孔３１が設置され、ケーシング内に、ケーシングの先端開口部２８の内径よりも僅かに大きい円状孔２９が設置され、固定レバーの外縁に雄ネジ２７が加工され、固定レバーの先端外縁に、制限ナット２が噛み合うように套設され、固定レバーは、ケーシングの開口部から貫入した後、円状孔、後孔を経た後、貫通した大外径の後端６が後板の対応位置にある孔に挿入され、スリーブと末端の間にある固定レバーの外縁に、圧縮ばね４が套設される。
【００３２】
スパナスイッチは、２つの稼動位置があり、運動端が一方の稼動位置へ移動されるとき、ケーブル又はワイヤーは引っ張られて、固定レバーの後端を孔から引き出し、この場合、固定レバーの後端とケーシングは圧縮ばねを圧縮させ、前板と後板は接続されていない分離状態になり、すなわち、メインビームの後端は、回転軸、制限ブロックを連動して横ビームと相対回転し、運動端が他方の稼動位置に移動されるとき、ケーブル又はワイヤーは緩んで、固定レバーの後端は圧縮ばねの付勢力の作用下で孔に挿入され、前板と後板は接続された制限状態になり、すなわち、メインビームの後端は、回転軸、制限ブロックを連動して横ビームと相対静止するようになる。
【００３３】
上記スパナスイッチとして、市販される類似機能を有する車用スイッチ、たとえば、変速車が変速調整のために使用されるスパナなどが使用できる。
【００３４】
本考案では、ハウジング内の上端と下端にそれぞれ１つのスチールシートが設置され、２つのスチールシートの間に制限ブロックが設置され、該制限ブロックは、キー溝とキーブロックの嵌合によりメインビームの後端にある回転軸に伴って運動し、制限ブロックは、回転軸に伴って回転するときに、スチールシートを押し当てて変形させ、スチールシート自体は平坦状態へ回復する傾向があり、且つスチールシート又は制限ブロックは、当接棒により制限されて、最大変形量を調整でき、さらに、制限ボスによりメインビームの後端の限界回転角度を調整でき、また、固定レバーによりメインビームの後端と横ビームを相対静止に保持することができ、上記各構造が互いに協力して作動することによって、制限機構とロック機構は一体化され、且つ運動を必要とする部材はハウジング内に密閉され、ハウジングを確実にシールし、グリースなどの潤滑油が充填されると、長期間にわたり安定的に作動でき、耐用年数が長く、構成が簡単で、制限効果が高く、三輪自転車の使用安定性、安全性が確保される。
【図１】
0003220388.tif 000003
【図２】
0003220388.tif 000004
【図３】
0003220388.tif 000005
【図４】
0003220388.tif 000006
【図５】
0003220388.tif 000007
【図６】
0003220388.tif 000008
【図７】
0003220388.tif 000009
【図８】
0003220388.tif 000010
【手続補正書】
【提出日】平成30年12月25日(2018.12.25)
【手続補正１】
【補正対象書類名】実用新案登録請求の範囲
【補正対象項目名】全文
【補正方法】変更
【補正の内容】
【実用新案登録請求の範囲】
【請求項１】
メインビームの後端とリアフレームの横ビームとを備える三輪自転車のリアビーム制限支持装置であって、
前記横ビームにハウジングが設置され、該ハウジング内に弾性制限機構が設置され、前記メインビームの後端に設置された回転軸がハウジング内に伸び込んで弾性制限機構に接続され、該弾性制限機構は前記回転軸の回転角度を制限することを特徴とする三輪自転車のリアビーム制限支持装置。
【請求項２】
前記弾性制限機構は、スチールシートと制限ブロックを含み、前記スチールシートはハウジング内の上端又は下端のうちのいずれか１箇所又は２箇所に設置され、前記制限ブロックは前記回転軸のハウジング内に位置する外縁に套設され、回転軸とともにその軸線周りに回転するときに、前記スチールシートを押し当てて変形させ、変形したスチールシートは前記制限ブロックを押し当てる前の位置へ回復させることを特徴とする請求項１に記載の三輪自転車のリアビーム制限支持装置。
【請求項３】
前記弾性制限機構は、スチールシートと制限ブロックを含み、前記スチールシートはハウジング内の左側又は後側のうちのいずれか１箇所又は２箇所に設置され、前記制限ブロックは前記回転軸のハウジング内に位置する外縁に套設され、回転軸とともにその軸線周りに回転するときに、前記スチールシートを押し当てて変形させ、変形したスチールシートは前記制限ブロックを押し当てる前の位置へ回復させることを特徴とする請求項１に記載の三輪自転車のリアビーム制限支持装置。
【請求項４】
制限ブロックのスチールシートに近い表面と制限ブロックの両側端面との接続部が、いずれも円弧状遷移部として形成されることを特徴とする請求項２に記載の三輪自転車のリアビーム制限支持装置。
【請求項５】
制限ブロックのスチールシートに近い表面と制限ブロックの上端面及び底面との接続部が、いずれも円弧状遷移部として形成されることを特徴とする請求項３に記載の三輪自転車のリアビーム制限支持装置。
【請求項６】
前記ハウジングに少なくとも１つの当接棒が設置され、ボルトは、ハウジング内に伸び込んで、スチールシートの変形の大きさ又は制限ブロックの回転角度を制限することを特徴とする請求項２乃至５のいずれか一項に記載の三輪自転車のリアビーム制限支持装置。
【請求項７】
メインビームの後端に前板が設置され、ハウジングに後板が設置され、前板に、後板の端部に向けて後板の対応位置に設置されたスライド溝に挿入される制限ボスが取り付けられ、制限ボスのスライド溝内の制限摺動により、メインビームの後端が回転するときにメインビームの後端の回転角度が制限されることを特徴とする請求項１乃至５のいずれか一項に記載の三輪自転車のリアビーム制限支持装置。
【請求項８】
メインビームの後端に前板が設置され、ハウジングに後板が設置され、後板に、前板の端部に向けて前板の対応位置に設置されたスライド溝に挿入される制限ボスが取り付けられ、制限ボスのスライド溝内の制限摺動により、メインビームの後端が回転するときにメインビームの後端の回転角度が制限されることを特徴とする請求項１乃至５のいずれか一項に記載の三輪自転車のリアビーム制限支持装置。
【請求項９】
前記前板の先端面の上端に前向きのケーシングが設置され、ケーシング内で制限摺動可能な固定レバーがケーシング内に設置され、該固定レバーは、ケーシングを伸び出した先端がケーブル又はワイヤーを介してスパナスイッチに接続され、後端が前記後板の対応位置に設置された孔に挿入され、前記ケーブル又はワイヤーは、スパナスイッチが両端へ移動されたときに、固定レバーの後端を前記孔に挿入又は脱出させ、固定レバーの後端が孔に挿入されると、メインビームの後端と横ビームを相対静止に保持し、固定レバーの後端が孔から脱出したとき、メインビームの後端と横ビームを相対回転させることを特徴とする請求項７又は８に記載の三輪自転車のリアビーム制限支持装置。